(57)【要約】【課題】キー入力を最小化して定型句を入力できる移動通信端末機の定型句登録及び入力方法を提供する。【解決手段】本発明は、単語の最初の文字又は一部の文字を含むキーと単語の文字数で単語を認識し、定型句を構成する各単語を前記の単語認識方法によって認識して、前記定型句を登録する。本発明は、定型句を入力しようとするとき、前記入力しようとする定型句が既に登録されているか否かを、前記定型句の各単語の最初の文字又は一部の文字を含むキーと単語区分キーを前記定型句を構成する単語順に入力して検索する。本発明は、前記入力しようとする定型句が検索されると、その定型句を選択して簡便に入力する。【選択図】図２
2006141035.tif 000002
【特許請求の範囲】
【請求項１】
単語の最初の文字又は一部の文字を含むキーと単語の文字数で前記単語を認識する過程と、
前記単語を認識する過程を定型句を構成する単語順に行って、前記定型句を登録する過程と、
を含むことを特徴とする移動通信端末機の定型句登録方法。
【請求項２】
前記定型句を構成する単語と単語の間の単語区分キーを認識する過程をさらに含むことを特徴とする請求項１に記載の移動通信端末機の定型句登録方法。
【請求項３】
前記キーは、１つ当たり複数の文字が割り当てられていることを特徴とする請求項１に記載の移動通信端末機の定型句登録方法。
【請求項４】
前記単語の最初の文字又は一部の文字が、アルファベットを含むことを特徴とする請求項１に記載の移動通信端末機の定型句登録方法。
【請求項５】
前記定型句が、使用者により任意に登録されるか、又は移動通信端末機メーカーにより既に登録されて使用者に提供されることを特徴とする請求項１に記載の移動通信端末機の定型句登録方法。
【請求項６】
前記登録されている定型句を利用して、入力しようとする第１定型句を入力する過程をさらに含むことを特徴とする請求項１に記載の移動通信端末機の定型句登録方法。
【請求項７】
前記第１定型句を入力する過程は、
文字入力モードを定型句入力モードに設定する過程と、
前記第１定型句の各単語の最初の文字が含まれた各キーを、前記第１定型句を構成する単語順に認識する過程と、
前記認識したキーに割り当てられた各文字を単語の最初の文字として有する単語が前記キーの認識順に羅列された候補定型句を検索する過程と、
前記検索された候補定型句から使用者により選択された定型句を、前記第１定型句として入力する過程と、
を含むことを特徴とする請求項６に記載の移動通信端末機の定型句登録方法。
【請求項８】
前記第１定型句の各単語の最初の文字が含まれた各キーを認識するとき、単語を区分するための単語区分キーをさらに認識することを特徴とする請求項７に記載の移動通信端末機の定型句登録方法。
【請求項９】
前記候補定型句が検索されないと、前記第１定型句を構成する最初の単語の最初の文字が含まれたキーと前記最初の単語の文字数を利用して、単語を検索する過程と、
検索された候補単語から使用者により選択された単語を入力する過程と、
前記単語を検索する過程と前記単語を入力する過程を単語別に繰り返して、前記第１定型句を入力する過程と、
をさらに含むことを特徴とする請求項７に記載の移動通信端末機の定型句登録方法。
【請求項１０】
移動通信端末機に定型句を入力する方法において、
入力しようとする定型句の各単語の最初の文字又は一部の文字が含まれた所定のキーと単語区分キーを、前記入力しようとする定型句を構成する単語順に入力して、既に登録されている定型句を検索する過程と、
前記既に登録されている定型句が検索されると、検索された定型句を選択して入力する過程と、
を含むことを特徴とする移動通信端末機の定型句入力方法。
【請求項１１】
文字入力モードを定型句入力モードに設定する過程をさらに含むことを特徴とする請求項１０に記載の移動通信端末機の定型句入力方法。
【請求項１２】
前記所定のキーは、１つのキー当たり複数の文字が割り当てられていることを特徴とする請求項１０に記載の移動通信端末機の定型句入力方法。
【請求項１３】
前記単語の最初の文字又は一部の文字が、アルファベットを含むことを特徴とする請求項１０に記載の移動通信端末機の定型句入力方法。
【請求項１４】
前記移動通信端末機が既に登録されている定型句を検索する方法は、
前記入力された所定のキー毎に、前記所定のキーに割り当てられた複数の文字のいずれか１つを最初の文字として有する単語を検索し、
前記検索された単語が前記所定のキーの入力順序に従って構成された定型句を検索するものであることを特徴とする請求項１０に記載の移動通信端末機の定型句入力方法。
【請求項１５】
前記既に登録されている定型句を検索する過程は、
前記入力しようとする定型句の各単語の最初の文字と単語区分キーを、前記入力しようとする定型句を構成する単語順に入力して、既に登録されている定型句を検索する過程を含むことを特徴とする請求項１０に記載の移動通信端末機の定型句入力方法。
【請求項１６】
前記移動通信端末機が既に登録されている定型句を検索する方法は、
入力された最初の文字で始まる各単語が前記単語順に構成された定型句を検索するものであることを特徴とする請求項１５に記載の移動通信端末機の定型句入力方法。
【請求項１７】
前記入力しようとする定型句の最初の単語の最初の文字又は一部の文字が含まれた所定のキーと最初の単語の文字数を入力して、既に登録されている単語を検索する第１過程と、
前記検索された既に登録されている単語から所望の単語を選択して入力する第２過程と、
前記第１及び第２過程を前記入力しようとする定型句を構成する単語別に行って、前記入力しようとする定型句を完成する第３過程と、
をさらに含むことを特徴とする請求項１０に記載の移動通信端末機の定型句入力方法。
【請求項１８】
前記移動通信端末機が前記既に登録されている単語を検索する方法は、
前記入力された所定のキーに割り当てられた複数の文字のいずれか１つで始まり、前記入力された文字数と同じ文字数を有する単語を検索するものであることを特徴とする請求項１７に記載の移動通信端末機の定型句入力方法。
【請求項１９】
使用者に第１情報を表示するためのディスプレイ部と、
文字と第２情報を入力するための入力部と、
複数の単語を保存するためのメモリと、
前記ディスプレイ部、前記入力部、及び前記メモリを制御する制御部とを含み、
１つ以上の単語を含む定型句の各単語の最初の文字又は一部の文字を示す１つ以上の文字入力を使用者から受信し、前記各文字入力を受信した後、前記各単語に関する追加情報を使用者から受信し、前記使用者から受信した各入力文字及び追加情報と一致する単語を前記メモリから検索し、検索の結果、一致する単語を表示し、前記表示された単語が使用者により選択されて所望の定型句を入力することを特徴とする文字入力装置。
【請求項２０】
前記追加情報が、単語の最終文字を指示することを特徴とする請求項１９に記載の文字入力装置。
【請求項２１】
前記単語の最終文字が、定型句に含まれた隣接した単語間の区分を指示することを特徴とする請求項２０に記載の文字入力装置。
【請求項２２】
前記検索が、保存された全ての単語のうち、前記各文字入力により受信された各入力文字で始まるか、各入力文字を一部に含む単語を確認することにより行われることを特徴とする請求項２１に記載の文字入力装置。
【請求項２３】
前記追加情報が、単語において文字の総数を指示することを特徴とする請求項１９に記載の文字入力装置。
【請求項２４】
前記検索が、保存された全ての単語のうち、前記各文字入力により受信された各入力文字で始まり、前記文字の総数と同じ文字数を有する単語を確認することにより行われることを特徴とする請求項２３に記載の文字入力装置。
【請求項２５】
前記検索が、保存された全ての単語のうち、前記各文字入力により受信された各入力文字で始まるか、各入力文字を一部に含み、前記文字の総数と同じ文字数を有する単語を確認することにより行われることを特徴とする請求項２３に記載の文字入力装置。
【請求項２６】
前記追加情報が、複数のキーを選択することにより、使用者から入力されることを特徴とする請求項１９に記載の文字入力装置。
【請求項２７】
使用者に第１情報を表示するためのディスプレイ部と、
文字と第２情報を入力するための入力部と、
複数の単語と定型句を保存するためのメモリと、
前記ディスプレイ部、前記入力部、及び前記メモリを制御する制御部とを含み、
単語の最初の文字又は一部の文字を含むキーと単語の文字数で前記単語を認識し、前記認識する動作を定型句を構成する単語順に行って、前記定型句を登録することを特徴とする定型句登録装置。
【請求項２８】
前記制御部が、前記定型句を構成する単語と単語の間の単語区分キーを認識することを特徴とする請求項２７に記載の定型句登録装置。
【発明の詳細な説明】
【技術分野】
【０００１】
本発明は、移動通信端末機に関し、特に、移動通信端末機の文字入力時、キー入力を最小化して定型句を入力できる移動通信端末機の定型句登録及び入力方法に関する。
【背景技術】
【０００２】
一般に、移動通信システムがデジタル方式を採用することによってデータ通信が可能となった。このようなデータ通信に必要な文字を使用者が移動通信端末機を利用して入力できるように、移動通信端末機のキーパッドの各キーには、数字だけでなく、複数の文字が共に割り当てられる。前記文字はハングル、英文、特殊文字を含んでおり、使用者が所望の単語又は文章を移動通信端末機を利用して表現できるようにする。
【０００３】
図４は、一般的な移動通信端末機のキーパッドの構成を示す図である。図４に示すように、一般的な移動通信端末機のキーパッドは、各数字キー毎に複数のアルファベットが割り当てられている。即ち、１キーと０キーにはアルファベットが割り当てられておらず、２キーには「ａ、ｂ、ｃ」、３キーには「ｄ、ｅ、ｆ」、４キーには「ｇ、ｈ、ｉ」、５キーには「ｊ、ｋ、ｌ」、６キーには「ｍ、ｎ、ｏ」、７キーには「ｐ、ｑ、ｒ、ｓ」、８キーには「ｔ、ｕ、ｖ」、９キーには「ｗ、ｘ、ｙ、ｚ」がそれぞれ割り当てられている。
【０００４】
このようなキーパッドのキーを利用して使用者が文字を入力する場合、入力しようとする文字が割り当てられた数字キーを所定回数連続して押すことによって、該当数字キーに割り当てられた入力しようとする文字が表示される。即ち、同じ数字キーを何回押したかによって、該当数字キーに割り当てられた文字が順次表示される。
【０００５】
例えば、「ｈａｐｐｙ」という単語を入力しようとするとき、使用者は、４キーを連続して２回押して「ｈ」を入力し、２キーを１回押して「ａ」を入力し、７キーを１回押して「ｐ」を入力し、次に、移動キー（ｓｈｉｆｔ  ｋｅｙ）を押してカーソルを移動させた後、又は所定時間経過後、７キーを１回押して「ｐ」を入力し、９キーを連続して３回押して「ｙ」を入力する。このように、使用者は、５文字からなる「ｈａｐｐｙ」という単語を入力するために、最小８回のキー入力を行わなければならない。
【０００６】
以上説明したように、一般的な移動通信端末機の文字入力方法においては、入力しようとする各単語毎に、入力しようとする文字が割り当てられた数字キーを所定回数連続して押す操作を繰り返さなければならないという問題があった。
【０００７】
また、一般的な移動通信端末機の文字入力方法においては、同じ文字を連続して入力するとき、所定時間待機した後に入力するか、又は移動キーを利用してカーソルを移動させた後に入力しなければならないという問題があった。
【０００８】
さらに、一般的な移動通信端末機の文字入力方法においては、使用者が好みの文章又は頻繁に使用する文章を入力するときにキー操作が面倒であるという問題があった。
【発明の開示】
【発明が解決しようとする課題】
【０００９】
本発明は、このような従来技術の問題を解決するためになされたもので、キー入力を最小化して定型句を入力できる移動通信端末機の定型句登録及び入力方法を提供することを目的とする。
【００１０】
本発明の他の目的は、同じ文字を連続して入力するとき、１つの文字を入力し、所定時間待機した後、又はカーソルを移動させた後に次の文字を入力しなければならない不便さを解消できる移動通信端末機の定型句登録及び入力方法を提供することにある。
【００１１】
本発明のさらに他の目的は、頻繁に使用する定型句をメモリに登録し、登録されている定型句を利用して簡便に定型句の入力を行うことができる移動通信端末機の定型句登録及び入力方法を提供することにある。
【課題を解決するための手段】
【００１２】
上記の目的を達成するために、本発明による移動通信端末機の定型句登録方法は、単語の最初の文字又は一部の文字を含むキーと単語の文字数で前記単語を認識する過程と、前記単語を認識する過程を定型句を構成する単語順に行って、前記定型句を登録する過程とを含むことを特徴とする。
【００１３】
また、上記の目的を達成するために、本発明による移動通信端末機の定型句入力方法は、文字入力モードを定型句入力モードに設定する過程と、入力しようとする定型句の各単語の最初の文字が含まれた所定のキーと単語区分キーを、前記入力しようとする定型句を構成する単語順に入力して、既に登録されている定型句を検索する過程と、既に登録されている定型句が検索されると、検索された定型句を選択して入力する過程とを含むことを特徴とする。
【００１４】
また、上記の目的を達成するために、本発明による文字入力装置は、使用者に第１情報を表示するためのディスプレイ部と、文字と第２情報を入力するための入力部と、複数の単語を保存するためのメモリと、前記ディスプレイ部、前記入力部、及び前記メモリを制御する制御部とを含み、１つ以上の単語を含む定型句の各単語の最初の文字又は一部の文字を示す１つ以上の文字入力を使用者から受信し、前記各文字入力を受信した後、前記各単語に関する追加情報を使用者から受信し、前記使用者から受信した各入力文字及び追加情報と一致する単語を前記メモリから検索し、検索の結果、一致する単語を表示し、前記表示された単語が使用者により選択されて所望の定型句を入力することを特徴とする。
【００１５】
また、上記の目的を達成するために、本発明による定型句登録装置は、使用者に第１情報を表示するためのディスプレイ部と、文字と第２情報を入力するための入力部と、複数の単語と定型句を保存するためのメモリと、前記ディスプレイ部、前記入力部、及び前記メモリを制御する制御部とを含み、単語の最初の文字又は一部の文字を含むキーと単語の文字数で前記単語を認識し、前記認識する動作を定型句を構成する単語順に行って、前記定型句を登録することを特徴とする。
【００１６】
上記目的を達成するために、本発明は、例えば、以下の手段を提供する。
（項目１）
単語の最初の文字又は一部の文字を含むキーと単語の文字数で前記単語を認識する過程と、
前記単語を認識する過程を定型句を構成する単語順に行って、前記定型句を登録する過程と、
を含むことを特徴とする移動通信端末機の定型句登録方法。
（項目２）
前記定型句を構成する単語と単語の間の単語区分キーを認識する過程をさらに含むことを特徴とする項目１に記載の移動通信端末機の定型句登録方法。
（項目３）
前記キーは、１つ当たり複数の文字が割り当てられていることを特徴とする項目１に記載の移動通信端末機の定型句登録方法。
（項目４）
前記単語の最初の文字又は一部の文字が、アルファベットを含むことを特徴とする項目１に記載の移動通信端末機の定型句登録方法。
（項目５）
前記定型句が、使用者により任意に登録されるか、又は移動通信端末機メーカーにより既に登録されて使用者に提供されることを特徴とする項目１に記載の移動通信端末機の定型句登録方法。
（項目６）
前記登録されている定型句を利用して、入力しようとする第１定型句を入力する過程をさらに含むことを特徴とする項目１に記載の移動通信端末機の定型句登録方法。
（項目７）
前記第１定型句を入力する過程は、
文字入力モードを定型句入力モードに設定する過程と、
前記第１定型句の各単語の最初の文字が含まれた各キーを、前記第１定型句を構成する単語順に認識する過程と、
前記認識したキーに割り当てられた各文字を単語の最初の文字として有する単語が前記キーの認識順に羅列された候補定型句を検索する過程と、
前記検索された候補定型句から使用者により選択された定型句を、前記第１定型句として入力する過程と、
を含むことを特徴とする項目６に記載の移動通信端末機の定型句登録方法。
（項目８）
前記第１定型句の各単語の最初の文字が含まれた各キーを認識するとき、単語を区分するための単語区分キーをさらに認識することを特徴とする項目７に記載の移動通信端末機の定型句登録方法。
（項目９）
前記候補定型句が検索されないと、前記第１定型句を構成する最初の単語の最初の文字が含まれたキーと前記最初の単語の文字数を利用して、単語を検索する過程と、
検索された候補単語から使用者により選択された単語を入力する過程と、
前記単語を検索する過程と前記単語を入力する過程を単語別に繰り返して、前記第１定型句を入力する過程と、
をさらに含むことを特徴とする項目７に記載の移動通信端末機の定型句登録方法。
（項目１０）
移動通信端末機に定型句を入力する方法において、
入力しようとする定型句の各単語の最初の文字又は一部の文字が含まれた所定のキーと単語区分キーを、前記入力しようとする定型句を構成する単語順に入力して、既に登録されている定型句を検索する過程と、
前記既に登録されている定型句が検索されると、検索された定型句を選択して入力する過程と、
を含むことを特徴とする移動通信端末機の定型句入力方法。
（項目１１）
文字入力モードを定型句入力モードに設定する過程をさらに含むことを特徴とする項目１０に記載の移動通信端末機の定型句入力方法。
（項目１２）
前記所定のキーは、１つのキー当たり複数の文字が割り当てられていることを特徴とする項目１０に記載の移動通信端末機の定型句入力方法。
（項目１３）
前記単語の最初の文字又は一部の文字が、アルファベットを含むことを特徴とする項目１０に記載の移動通信端末機の定型句入力方法。
（項目１４）
前記移動通信端末機が既に登録されている定型句を検索する方法は、
前記入力された所定のキー毎に、前記所定のキーに割り当てられた複数の文字のいずれか１つを最初の文字として有する単語を検索し、
前記検索された単語が前記所定のキーの入力順序に従って構成された定型句を検索するものであることを特徴とする項目１０に記載の移動通信端末機の定型句入力方法。
（項目１５）
前記既に登録されている定型句を検索する過程は、
前記入力しようとする定型句の各単語の最初の文字と単語区分キーを、前記入力しようとする定型句を構成する単語順に入力して、既に登録されている定型句を検索する過程を含むことを特徴とする項目１０に記載の移動通信端末機の定型句入力方法。
（項目１６）
前記移動通信端末機が既に登録されている定型句を検索する方法は、
入力された最初の文字で始まる各単語が前記単語順に構成された定型句を検索するものであることを特徴とする項目１５に記載の移動通信端末機の定型句入力方法。
（項目１７）
前記入力しようとする定型句の最初の単語の最初の文字又は一部の文字が含まれた所定のキーと最初の単語の文字数を入力して、既に登録されている単語を検索する第１過程と、
前記検索された既に登録されている単語から所望の単語を選択して入力する第２過程と、
前記第１及び第２過程を前記入力しようとする定型句を構成する単語別に行って、前記入力しようとする定型句を完成する第３過程と、
をさらに含むことを特徴とする項目１０に記載の移動通信端末機の定型句入力方法。
（項目１８）
前記移動通信端末機が前記既に登録されている単語を検索する方法は、
前記入力された所定のキーに割り当てられた複数の文字のいずれか１つで始まり、前記入力された文字数と同じ文字数を有する単語を検索するものであることを特徴とする項目１７に記載の移動通信端末機の定型句入力方法。
（項目１９）
使用者に第１情報を表示するためのディスプレイ部と、
文字と第２情報を入力するための入力部と、
複数の単語を保存するためのメモリと、
前記ディスプレイ部、前記入力部、及び前記メモリを制御する制御部とを含み、
１つ以上の単語を含む定型句の各単語の最初の文字又は一部の文字を示す１つ以上の文字入力を使用者から受信し、前記各文字入力を受信した後、前記各単語に関する追加情報を使用者から受信し、前記使用者から受信した各入力文字及び追加情報と一致する単語を前記メモリから検索し、検索の結果、一致する単語を表示し、前記表示された単語が使用者により選択されて所望の定型句を入力することを特徴とする文字入力装置。
（項目２０）
前記追加情報が、単語の最終文字を指示することを特徴とする項目１９に記載の文字入力装置。
（項目２１）
前記単語の最終文字が、定型句に含まれた隣接した単語間の区分を指示することを特徴とする項目２０に記載の文字入力装置。
（項目２２）
前記検索が、保存された全ての単語のうち、前記各文字入力により受信された各入力文字で始まるか、各入力文字を一部に含む単語を確認することにより行われることを特徴とする項目２１に記載の文字入力装置。
（項目２３）
前記追加情報が、単語において文字の総数を指示することを特徴とする項目１９に記載の文字入力装置。
（項目２４）
前記検索が、保存された全ての単語のうち、前記各文字入力により受信された各入力文字で始まり、前記文字の総数と同じ文字数を有する単語を確認することにより行われることを特徴とする項目２３に記載の文字入力装置。
（項目２５）
前記検索が、保存された全ての単語のうち、前記各文字入力により受信された各入力文字で始まるか、各入力文字を一部に含み、前記文字の総数と同じ文字数を有する単語を確認することにより行われることを特徴とする項目２３に記載の文字入力装置。
（項目２６）
前記追加情報が、複数のキーを選択することにより、使用者から入力されることを特徴とする項目１９に記載の文字入力装置。
（項目２７）
使用者に第１情報を表示するためのディスプレイ部と、
文字と第２情報を入力するための入力部と、
複数の単語と定型句を保存するためのメモリと、
前記ディスプレイ部、前記入力部、及び前記メモリを制御する制御部とを含み、
単語の最初の文字又は一部の文字を含むキーと単語の文字数で前記単語を認識し、前記認識する動作を定型句を構成する単語順に行って、前記定型句を登録することを特徴とする定型句登録装置。
（項目２８）
前記制御部が、前記定型句を構成する単語と単語の間の単語区分キーを認識することを特徴とする項目２７に記載の定型句登録装置。
【発明の効果】
【００１７】
本発明による移動通信端末機の定型句登録及び入力方法は、１つのキーに複数の文字が割り当てられている場合、キー入力を最小化して好みの文章、定型句などを完成することにより、文字入力時における使用者の利便性を向上させるという効果がある。
【００１８】
また、本発明は、単語を検索して簡便に入力することができ、文字を一々入力して単語を完成しないため、同じ文字を連続して入力するために所定時間待機するか、又はカーソルを移動させる不便さを解消できるという効果がある。
【００１９】
さらに、本発明は、頻繁に使用する定型句を登録して、登録されている定型句を構成する各単語の最初の文字が入力されたとき、登録されている定型句を検索して使用することにより、定型句を容易に入力し、文字入力時間を最小化できるという効果がある。
【発明を実施するための最良の形態】
【００２０】
本発明は、頻繁に使用する定型句を単語と単語区分キーとに分離し、前記定型句を構成する単語順に、各単語の最初の文字を含むキーと各単語の文字数で各単語を認識することにより、前記定型句を移動通信端末機のメモリに登録する。また、移動通信端末機に定型句を入力するとき、入力しようとする定型句を構成する単語順に、各単語の最初の文字を含むキーと単語区分キーを利用して、前記入力しようとする定型句が移動通信端末機のメモリに既に登録されているか否かを検索する。前記入力しようとする定型句が既に登録されていると、使用者は、既に登録されている定型句を選択して入力する。前記入力しようとする定型句が登録されていないと、前記入力しようとする定型句を構成する各単語別に、各単語の最初の文字を含むキーと各単語の文字数を利用して、各単語が移動通信端末機のメモリに既に登録されているか否かを検索する。該当単語が既に登録されていると、使用者は、既に登録された該当単語を選択して入力する。
【００２１】
前記単語の最初の文字は、例えば、英語の場合はアルファベット、ハングルの場合は初声などである。また、前記単語の文字数は、例えば、英語単語の場合はアルファベットの数であり、ハングル単語の場合は字の数であって、
【００２２】
【化１】
2006141035.tif 000003
【００２３】
を例に挙げると、前記単語
【００２４】
【化２】
2006141035.tif 000004
【００２５】
の文字数は２つである。
【００２６】
前記定型句は、使用者により任意に登録されるか、又は移動通信端末機メーカーにより既に登録されて使用者に提供される。
【００２７】
以下、添付の図面を参照して本発明の好ましい実施形態を説明する。
【００２８】
図１は、本発明を実施するための移動通信端末機の構成を示すブロック図である。即ち、移動通信端末機は、数字及び文字を入力するための複数のキーを備えたキーパッド１１と、単語の最初の文字を含むキーと単語の文字数によって単語を登録し、登録されている単語を単語羅列順に認識して定型句を登録し、登録されている定型句及び登録されている単語を単語の最初の文字を含むキーを利用して検索するプログラムを保存し、登録されている定型句及び登録されている単語を保存するためのメモリ１３と、単語の最初の文字を含むキー、単語の文字数、単語区分キーを利用して、定型句と単語の登録、既に登録されている定型句と既に登録されている単語の検索、及び使用者により選択された既に登録されている定型句と既に登録されている単語の入力を制御するための制御部１５と、制御部１５の制御によって、文字入力モード時に発生するメッセージを表示するための表示部１７とを含む。
【００２９】
以下、このように構成された移動通信端末機を利用する、本発明による移動通信端末機の定型句登録及び入力方法を説明する。
【００３０】
まず、定型句登録方法について説明する。
【００３１】
図２は、本発明による移動通信端末機の定型句登録方法を示すフローチャートである。
【００３２】
移動通信端末機の制御部１５は、定型句登録モードであるか否かを確認する（Ｓ１１）。ここで、前記定型句登録モードとは、入力された定型句をメモリ１３に登録するためのモードである。定型句登録モードであると、制御部１５は、前記入力された定型句を単語と単語区分キーとに分離し、前記定型句を構成する単語順に、各単語の最初の文字を含むキーと各単語の文字数で各単語を認識して、前記定型句をメモリ１３に登録する（Ｓ１３〜Ｓ２１）。前記単語の最初の文字は、英文の場合はアルファベット、ハングルの場合は初声を含む。
【００３３】
即ち、制御部１５は、前記入力された定型句から最初の単語の最初の文字が含まれたキーを認識し（Ｓ１３）、最初の単語の文字数を認識して（Ｓ１５）、前記最初の単語を認識する。その後、制御部１５は、前記認識した最初の単語の次に単語区分キーが存在するかどうかを確認し（Ｓ１７）、単語区分キーが存在すると、前記の段階Ｓ１３に進む。即ち、制御部１５は、前記最初の単語に後続する次の単語の最初の文字が含まれたキーを認識し（Ｓ１３）、前記次の単語の文字数を認識して（Ｓ１５）、前記次の単語を認識する。このように、制御部１５は、前記の段階Ｓ１３〜Ｓ１５を前記入力された定型句を構成する全ての単語に対して行う。次に、定型句の入力の終了を知らせるための確認キーが認識されると（Ｓ１９）、制御部２１は、最初の文字が含まれたキーの入力順序情報によって、前記定型句をメモリ１３に登録する（Ｓ２１）。
【００３４】
例えば、「ｈａｐｐｙ  ｂｉｒｔｈｄａｙ  ｔｏ  ｙｏｕ」という定型句をメモリ１３に登録する場合、制御部１５は、ｈａｐｐｙの最初の文字「ｈ」が含まれた４キー、単語区分キー（例えば、０キー）、ｂｉｒｔｈｄａｙの最初の文字「ｂ」が含まれた２キー、単語区分キー、ｔｏの最初の文字「ｔ」が含まれた８キー、単語区分キー、ｙｏｕの最初の文字「ｙ」が含まれた９キーの情報によって、前記「ｈａｐｐｙ  ｂｉｒｔｈｄａｙ  ｔｏ  ｙｏｕ」という定型句を登録する。
【００３５】
図２には示していないが、定型句を登録するとき、制御部１５は、定型句を構成する各単語の最初の文字と単語区分キーを利用することができる。前記「ｈａｐｐｙ  ｂｉｒｔｈｄａｙ  ｔｏ  ｙｏｕ」という定型句を例に挙げると、制御部１５は、ｈａｐｐｙの最初の文字「ｈ」（４キーが連続して２回入力された値）、単語区分キー、ｂｉｒｔｈｄａｙの最初の文字「ｂ」（２キーが連続して２回入力された値）、単語区分キー、ｔｏの最初の文字「ｔ」（８キーが１回入力された値）、単語区分キー、ｙｏｕの最初の文字「ｙ」（９キーが連続して３回入力された値）の情報によって、前記「ｈａｐｐｙ  ｂｉｒｔｈｄａｙ  ｔｏ  ｙｏｕ」という定型句を登録することができる。
【００３６】
次に、定型句入力方法について説明する。
【００３７】
図３Ａ及び図３Ｂは、本発明による移動通信端末機の定型句入力方法を示すフローチャートである。
【００３８】
使用者は、移動通信端末機の文字入力モードを定型句入力モードに設定する（Ｓ３１）。即ち、使用者は、定型句入力モードを設定するためのキー（例えば、１キー）を押すことにより、定型句入力モードに設定する。
【００３９】
定型句入力モードに設定されると、使用者は、入力しようとする定型句の各単語の最初の文字が含まれたキーを前記定型句を構成する単語順に入力し、単語と単語の間に単語区分キーを共に入力し（Ｓ３３、Ｓ３５）、さらに、定型句を検索するための確認キーを入力する（Ｓ３７）。
【００４０】
定型句を検索するための確認キーが入力されると、制御部１５は、最初の文字が含まれたキーの入力順序情報に該当する定型句をメモリ１３から検索する（Ｓ３９）。前記最初の文字が含まれたキーの入力順序情報に該当する定型句がメモリ１３に存在すると（Ｓ４１）、制御部１５は、前記検索された定型句を表示部１７に表示する（Ｓ４３）。
【００４１】
すると、使用者は、表示された定型句のうち、所望の定型句をスクロールで選択することにより、所望の定型句を簡便に入力する（Ｓ４５）。
【００４２】
例えば、「ｈａｐｐｙ  ｂｉｒｔｈｄａｙ  ｔｏ  ｙｏｕ」という定型句を検索しようとするとき、使用者は、ｈａｐｐｙの最初の文字「ｈ」が含まれた４キー、単語区分キー、ｂｉｒｔｈｄａｙの最初の文字「ｂ」が含まれた２キー、単語区分キー、ｔｏの最初の文字「ｔ」が含まれた８キー、単語区分キー、ｙｏｕの最初の文字「ｙ」が含まれた９キーを入力し、確認キーを入力する。すると、制御部１５は、メモリ１３に登録されている定型句のうち、最初の単語が４キーに割り当てられた「ｇ」、「ｈ」、「ｉ」のいずれか１つで始まり、２番目の単語が２キーに割り当てられた「ａ」、「ｂ」、「ｃ」のいずれか１つで始まり、３番目の単語が８キーに割り当てられた「ｔ」、「ｕ」、「ｖ」のいずれか１つで始まり、最後の単語が９キーに割り当てられた「ｗ」、「ｘ」、「ｙ」、「ｚ」のいずれか１つで始まる定型句を検索する。制御部１５が検索された定型句を表示部１７に表示すると、使用者は、表示された定型句のうち所望の定型句を選択する。
【００４３】
ここで、定型句検索方法は、図３Ａには示していないが、定型句を構成する各単語の最初の文字と単語区分キーを前記定型句を構成する単語順に入力することにより行うことができる。
【００４４】
例えば、「ｈａｐｐｙ  ｂｉｒｔｈｄａｙ  ｔｏ  ｙｏｕ」という定型句を検索しようとするとき、使用者は、ｈａｐｐｙの最初の文字「ｈ」（４キーが連続して２回入力された値）、単語区分キー、ｂｉｒｔｈｄａｙの最初の文字「ｂ」（２キーが連続して２回入力された値）、単語区分キー、ｔｏの最初の文字「ｔ」（８キーが１回入力された値）、単語区分キー、ｙｏｕの最初の文字「ｙ」（９キーが連続して３回入力された値）を入力し、確認キーを入力する。すると、制御部１５は、メモリ１３に登録されている定型句のうち、最初の単語が「ｈ」で始まり、２番目の単語が「ｂ」で始まり、３番目の単語が「ｔ」で始まり、最後の単語が「ｙ」で始まる定型句を検索する。
【００４５】
一方、定型句の検索が失敗すると、使用者は、入力しようとする定型句を構成する各単語を検索することができる。このために、使用者は、前記入力しようとする定型句の最初の単語の最初の文字が含まれたキーを入力し、最初の単語の文字数を入力する（Ｓ４７、Ｓ４９）。すると、制御部１５は、前記入力されたキーに割り当てられた各文字を最初の文字として有し、前記入力された文字数と同じ文字数を有する単語をメモリ１３から検索する（Ｓ５１）。
【００４６】
検索が成功すると（Ｓ５３）、制御部１５は、検索された単語を表示部１７に表示する（Ｓ５５）。表示部１７に表示された単語は、使用者の選択によって、使用頻度の高い単語を優先的に表示することもでき、重要な単語を優先的に保存又は表示することもできる。
【００４７】
使用者は、表示部１７に表示された単語のうち、所望の単語をスクロールで選択して入力する（Ｓ５７）。
【００４８】
その後、使用者は、前記定型句の２番目の単語を検索するために、単語区分キーを入力した後（Ｓ５９）、前記２番目の単語の最初の文字が含まれたキーと２番目の単語の文字数を入力する（Ｓ４７、Ｓ４９）。すると、制御部１５は、前記２番目に入力されたキーに割り当てられた各文字を最初の文字として有し、前記２番目に入力された文字数と同じ文字数を有する単語を検索する（Ｓ５１）。このように、使用者は、定型句を構成する各単語の最初の文字が含まれたキーと各単語の文字数を入力して各単語を検索することにより、入力しようとする定型句を完成する（Ｓ６１、Ｓ６３）。
【００４９】
例えば、「ｈａｐｐｙ  ｂｉｒｔｈｄａｙ  ｔｏ  ｙｏｕ」という定型句を入力するために各単語を検索するとき、使用者は、まず、最初の単語ｈａｐｐｙの最初の文字「ｈ」が含まれた４キーと、ｈａｐｐｙの文字数４を入力する。すると、制御部１５は、４キーに割り当てられた「ｇ」、「ｈ」、「ｉ」のいずれか１つで始まり、文字数が４である単語を、メモリ１３から検索する。メモリ１３に単語「ｇｒｏｕｐ」、「ｈａｐｐｙ」、「ｉｎｃｕｒ」が存在すると、制御部１５は、「ｇｒｏｕｐ」、「ｈａｐｐｙ」、「ｉｎｃｕｒ」を表示部１７に表示する。使用者は、表示された単語のうち、所望の単語をスクロールで選択する。前記定型句の最初の単語の入力が完了すると、使用者は、単語区分キーを入力し、２番目の単語ｂｉｒｔｈｄａｙを検索するために、ｂｉｒｔｈｄａｙの最初の文字「ｂ」が含まれた２キーと、ｂｉｒｔｈｄａｙの文字数８を入力する。このように、使用者は、定型句を構成する各単語の最初の文字が含まれたキーと各単語の文字数を利用して各単語を検索することにより、簡便に単語を入力して所望の定型句を完成することができる。
【００５０】
本発明による単語検索方法により新しい定型句を入力するか、又は一般的な文字入力方法により新しい定型句を入力して、入力した新しい定型句をメモリ１３に登録しようとするとき、使用者は、移動通信端末機を定型句登録モードに設定し、前述の定型句登録方法により定型句を登録する。
【００５１】
また、本発明による文字入力装置は、使用者に第１情報を表示するためのディスプレイ部と、文字と第２情報を入力するための入力部と、複数の単語を保存するためのメモリと、前記ディスプレイ部、前記入力部、及び前記メモリを制御する制御部とを含み、１つ以上の単語を含む定型句の各単語の最初の文字又は一部の文字を示す１つ以上の文字入力を使用者から受信し、前記各文字入力を受信した後、前記各単語に関する追加情報を使用者から受信し、前記使用者から受信した各入力文字及び追加情報と一致する単語を前記メモリから検索し、検索の結果、一致する単語を表示し、前記表示された単語が使用者により選択されて所望の定型句を入力する。
【００５２】
前記追加情報は、単語の最終文字を指示する。
【００５３】
前記単語の最終文字は、定型句に含まれた隣接した単語間の区分を指示する。
【００５４】
前記検索は、保存された全ての単語のうち、前記各文字入力により受信された各入力文字で始まるか、各入力文字を一部に含む単語を確認することにより行われる。
【００５５】
前記追加情報は、単語において文字の総数を指示することができる。
【００５６】
前記制御部は、保存された全ての単語のうち、前記各文字入力により受信された各入力文字で始まり、前記文字の総数と同じ文字数を有する単語を検索する。また、前記制御部は、保存された全ての単語のうち、前記各文字入力により受信された各入力文字で始まるか、各入力文字を一部に含み、前記文字の総数と同じ文字数を有する単語を検索する。
【００５７】
前記追加情報は、複数のキーを選択することにより、使用者から入力される。
また、本発明による定型句登録装置は、使用者に第１情報を表示するためのディスプレイ部と、文字と第２情報を入力するための入力部と、複数の単語と定型句を保存するためのメモリと、前記ディスプレイ部、前記入力部、及び前記メモリを制御する制御部とを含み、単語の最初の文字又は一部の文字を含むキーと単語の文字数で前記単語を認識し、前記認識する動作を定型句を構成する単語順に行って、前記定型句を登録する。
【００５８】
前記制御部は、前記定型句を構成する単語と単語の間の単語区分キーを認識する。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６０】
キー入力を最小化して定型句を入力できる移動通信端末機の定型句登録及び入力方法を提供する。
【００６１】
本発明は、単語の最初の文字又は一部の文字を含むキーと単語の文字数で単語を認識し、定型句を構成する各単語を前記の単語認識方法によって認識して、前記定型句を登録する。本発明は、定型句を入力しようとするとき、前記入力しようとする定型句が既に登録されているか否かを、前記定型句の各単語の最初の文字又は一部の文字を含むキーと単語区分キーを前記定型句を構成する単語順に入力して検索する。本発明は、前記入力しようとする定型句が検索されると、その定型句を選択して簡便に入力する。
【図面の簡単な説明】
【００６２】
【図１】本発明を実施するための移動通信端末機の構成を示すブロック図である。
【図２】本発明による移動通信端末機の定型句登録方法を示すフローチャートである。
【図３Ａ】本発明による移動通信端末機の定型句入力方法を示すフローチャートである。
【図３Ｂ】本発明による移動通信端末機の定型句入力方法を示すフローチャートである。
【図４】一般的な移動通信端末機のキーパッドの構成を示す図である。
【図１】
2006141035.tif 000005
【図２】
2006141035.tif 000006
【図３Ａ】
2006141035.tif 000007
【図３Ｂ】
2006141035.tif 000008
【図４】
2006141035.tif 000009